(57)【要約】【課題】一部の区間のみ混雑した場合であっても、運行効率が低下することを防止できるエレベータシステムを提供する。【解決手段】エレベータシステムは、かご２とかご５と監視装置７とを備える。かご２は、高層にある階に停止する。かご５は、低層にある階に停止する。監視装置７は、高層と低層との境界を変更する。監視装置７は、例えば、予め定められた混雑条件に基づいて高層又は低層の一方のみが混雑しているか否かを判定する。監視装置７は、高層又は低層の一方のみが混雑していると判定された場合に、高層の混雑度と低層の混雑度とが均衡するように境界を変更する。【選択図】図１
2015000773.tif 000002
【特許請求の範囲】
【請求項１】
高層にある階に停止する第１かごと、
低層にある階に停止する第２かごと、
高層と低層との境界を変更する境界設定手段と、
を備えたエレベータシステム。
【請求項２】
前記境界設定手段は、予め定められた混雑条件に基づいて高層又は低層の一方のみが混雑していると判定された場合に、高層の混雑度と低層の混雑度とが均衡するように高層と低層との境界を変更する請求項１に記載のエレベータシステム。
【請求項３】
高層にある階に停止する第１かごと、
中間層にある階に停止する第２かごと、
低層にある階に停止する第３かごと、
高層と中間層との境界及び中間層と低層との境界の少なくとも何れか一方を変更する境界設定手段と、
を備えたエレベータシステム。
【請求項４】
ビルが複数の層に分けられ、各層をサービスするエレベータのかごが予め定められているエレベータシステムであって、
各層の境界のうち、少なくとも何れか１つの境界を変更する境界設定手段と、
を備えたエレベータシステム。
【請求項５】
前記境界設定手段は、各階に登録された単位時間当たりのかご呼びの数に基づいて境界を変更する請求項１から請求項４の何れか一項に記載のエレベータシステム。
【請求項６】
前記境界設定手段によって設定された境界に関する情報を報知する報知器と、
を更に備えた請求項１から請求項５の何れか一項に記載のエレベータシステム。
【請求項７】
高層又は低層の一方にある階をサービスする第１かご及び第２かごと、
高層又は低層の他方にある階をサービスする第３かご及び第４かごと、
予め定められた閑散条件に基づいて高層と低層との双方が閑散としていると判定された場合に、前記第１かご及び前記第２かごによるサービスを停止させ、前記第３かごに高層にある階をサービスさせ、前記第４かごに低層にある階をサービスさせる運行制御手段と、
を備えたエレベータシステム。
【請求項８】
前記運行制御手段は、各階に登録された単位時間当たりのかご呼びの数に基づいて高層と低層との双方が閑散としているか否かを判定する請求項７に記載のエレベータシステム。
【請求項９】
前記運行制御手段によって前記第１かご及び前記第２かごによるサービスが停止された場合に、前記第３かごによってサービスされる階と前記第４かごによってサービスされる階とに関する情報を報知する報知器と、
を更に備えた請求項７又は請求項８に記載のエレベータシステム。
【発明の詳細な説明】
【技術分野】
【０００１】
この発明は、エレベータシステムに関するものである。
【背景技術】
【０００２】
特許文献１乃至３は、エレベータシステムの従来技術を開示する。
特許文献１に記載されたシステムは、シャトルエレベータのバンクとローカルエレベータのバンクとを備える。シャトルエレベータのかごは、ロビー階と乗継階とを往復する。ローカルエレベータのかごは、乗継階と乗継階より上方の階とに停止する。シャトルエレベータのかごが混雑すると、ローカルエレベータの複数のかごが乗継階に応答する。
【０００３】
特許文献２に記載されたシステムは、複数のシャトルエレベータを備える。シャトルエレベータのかごは、ロビー階と乗継階とを往復する。乗継階が混雑すると、シャトルエレベータのかごを上方階で一旦待機させる。
【０００４】
特許文献３に記載されたシステムは、シャトルエレベータと複数のローカルエレベータとを備える。シャトルエレベータのかごは、ロビー階と乗継階とを往復する。ローカルエレベータのかごは、乗継階と乗継階より上方の階とに停止する。乗継階での乗り継ぎが適切に行われるように、ローカルエレベータのかごの行先階をシャトルエレベータのかご内に表示する。
【先行技術文献】
【特許文献】
【０００５】
【特許文献１】特開２０１２−２１８９０８号公報
【特許文献２】特開２００３−３３５４６１号公報
【特許文献３】特開平７−２０６２８１号公報
【発明の概要】
【発明が解決しようとする課題】
【０００６】
大きなビル等では、ビル全体が複数の層に分けられ、各層をサービスするエレベータのかごが予め決められている。例えば、ビルが高層と低層との二層に分けられた場合、ビルに備えられた一部のエレベータのかごは、ロビー階と高層にある階とに停止する。他のエレベータのかごは、ロビー階と低層にある階とに停止する。このような場合に、一部の層（例えば、高層）のみが混雑すると、システム全体としての運行効率が低下するといった問題があった。なお、特許文献１乃至３に記載されたシステムでは、このような課題を解決することはできなかった。
【０００７】
この発明は、上述のような課題を解決するためになされたものである。この発明の目的は、一部の区間のみ混雑した場合であっても、運行効率が低下することを防止できるエレベータシステムを提供することである。
【課題を解決するための手段】
【０００８】
この発明に係るエレベータシステムは、高層にある階に停止する第１かごと、低層にある階に停止する第２かごと、高層と低層との境界を変更する境界設定手段と、を備えたものである。
【０００９】
また、この発明に係るエレベータシステムは、高層にある階に停止する第１かごと、中間層にある階に停止する第２かごと、低層にある階に停止する第３かごと、高層と中間層との境界及び中間層と低層との境界の少なくとも何れか一方を変更する境界設定手段と、を備えたものである。
【００１０】
また、この発明に係るエレベータシステムは、ビルが複数の層に分けられ、各層をサービスするエレベータのかごが予め定められているエレベータシステムであって、各層の境界のうち、少なくとも何れか１つの境界を変更する境界設定手段と、を備えたものである。
【発明の効果】
【００１１】
この発明に係るエレベータシステムであれば、一部の区間のみ混雑した場合であっても、運行効率が低下することを防止できる。
【図面の簡単な説明】
【００１２】
【図１】この発明の実施の形態１におけるエレベータシステムの構成を示す図である。
【図２】この発明の実施の形態１におけるエレベータシステムの動作を示すフローチャートである。
【図３】この発明の実施の形態２におけるエレベータシステムの動作を示すフローチャートである。
【発明を実施するための形態】
【００１３】
添付の図面を参照し、本発明を詳細に説明する。重複する説明は、適宜簡略化或いは省略する。各図では、同一又は相当する部分に、同一の符号を付している。
【００１４】
実施の形態１．
図１は、この発明の実施の形態１におけるエレベータシステムの構成を示す図である。図１に示すシステムが備えられたビルでは、ビル全体が複数の層に分けられ、各層をサービスするエレベータのかごが予め決められている。図１は、最も簡単な例として、ビルが高層と低層とに分けられている場合を示している。ビルは、３つ以上の層に分けられていても構わない。
【００１５】
群管理装置１は、複数台のエレベータを一群として管理する。図１は、一例として、群管理装置１が１つのバンクを管理する場合を示している。群管理装置１が複数のバンクを管理しても構わない。群管理装置１によって管理されるエレベータのかご２は、ロビー階と高層にある階とに停止する。かご２は、低層にある階に停止しない。ロビー階には、群管理装置１が管理するバンクの乗場に、報知器３が設けられる。かご２が停止する全ての階の乗場に報知器３が設けられていても良い。
【００１６】
群管理装置４は、複数台のエレベータを一群として管理する。図１は、一例として、群管理装置４が１つのバンクを管理する場合を示している。群管理装置４が複数のバンクを管理しても構わない。群管理装置４によって管理されるエレベータのかご５は、ロビー階と低層にある階とに停止する。かご５は、高層にある階に停止しない。ロビー階には、群管理装置４が管理するバンクの乗場に、報知器６が設けられる。かご５が停止する全ての階の乗場に報知器６が設けられていても良い。
【００１７】
監視装置７は、システム全体の動作を監視する。また、監視装置７は、高層と低層との境界を変更する機能を有する。本システムにおいて、高層の範囲及び低層の範囲は、監視装置７によって設定された境界に応じて適宜変更される。即ち、群管理装置１は、ロビー階と監視装置７によって設定された境界より上方の階とにかご２を停止させる。群管理装置４は、ロビー階と監視装置７によって設定された境界より下方の階とにかご５を停止させる。
【００１８】
次に、図２も参照し、上記構成を有するエレベータシステムの動作について具体的に説明する。図２は、この発明の実施の形態１におけるエレベータシステムの動作を示すフローチャートである。
【００１９】
以下においては、１階がロビー階である３０階建てのビルに本エレベータシステムが備えられている場合について説明する。なお、高層と低層との境界は、監視装置７によって１５階と１６階との間に予め設定されているものとする。境界が１５階と１６階との間に設定されている時、群管理装置１によって管理されるエレベータのかご２は、１階と１６階乃至３０階の各階とに停止する。かご２は、２階から１５階の各階に停止しない。群管理装置４によって管理されるエレベータのかご５は、１階と２階乃至１５階の各階とに停止する。かご５は、１６階から３０階の各階に停止しない。
【００２０】
監視装置７は、群管理装置１及び４から情報を取得し、エレベータの利用状況を確認する（Ｓ１０１）。監視装置７は、群管理装置１及び４から取得した情報に基づいて、高層又は低層の一方のみが混雑しているか否かを判定する（Ｓ１０２）。高層又は低層の一方のみが混雑しているか否かを判定するための混雑条件は、予め定められている。
【００２１】
例えば、監視装置７は、Ｓ１０１において、ビルの各階に登録された単位時間当たりのかご呼びの数の情報を取得する。
【００２２】
【表１】
2015000773.tif 000003
【００２３】
表１は、高層にある階に登録された単位時間当たりのかご呼びの総数Ａと低層にある階に登録された単位時間当たりのかご呼びの総数Ｂとを示している。例えば、監視装置７は、かご呼びの総数が７０以上の場合にその層の混雑度が高いと判定する。総数Ａが１００、総数Ｂが１００である場合、高層の混雑度と低層の混雑度とは双方とも高い。かかる場合、高層と低層との双方が混雑しているため混雑条件を満たさず（Ｓ１０２のＮｏ）、監視装置７は境界を変更しない。
【００２４】
また、総数Ａが２０、総数Ｂが２０である場合、高層の混雑度と低層の混雑度とは双方とも低い。かかる場合、高層と低層との双方が混雑していないため混雑条件を満たさず（Ｓ１０２のＮｏ）、監視装置７は境界を変更しない。
【００２５】
総数Ａが１００、総数Ｂが２０である場合、高層の混雑度は高く、低層の混雑度は低い。かかる場合、高層のみが混雑しているため混雑条件を満たし（Ｓ１０２のＹｅｓ）、監視装置７は境界を変更する。監視装置７は、例えば、高層の混雑度と低層の混雑度とが均衡するように境界を再設定する。上記例であれば高層のみが混雑しているため、監視装置７は、境界を現在の位置より高層側に移動させる。
【００２６】
総数Ａが２０、総数Ｂが１００である場合、高層の混雑度は低く、低層の混雑度は高い。かかる場合、低層のみが混雑しているため混雑条件を満たし（Ｓ１０２のＹｅｓ）、監視装置７は境界を変更する。監視装置７は、例えば、高層の混雑度と低層の混雑度とが均衡するように境界を再設定する。上記例であれば低層のみが混雑しているため、監視装置７は、境界を現在の位置より低層側に移動させる。
【００２７】
上記混雑条件は一例である。混雑条件として他の要件を採用しても構わない。例えば、監視装置７は、総数Ａ又は総数Ｂの一方が他方のＸ（例えば、Ｘ＝３）倍以上である時に、その一方の層のみが混雑していると判定しても良い。この混雑条件が採用されている場合、ビルの各階に登録された単位時間当たりのかご呼びの数が表１に示す状態であれば、判定結果は上記と同様になる。
【００２８】
監視装置７は、ビルの各階に登録された単位時間当たりのかご呼びの数に基づいて境界を再設定する。例えば、監視装置７は、境界を変更した後の高層のかご呼びの総数と低層のかご呼びの総数とが同数になるように、境界を変更する（Ｓ１０３）。
【００２９】
【表２】
2015000773.tif 000004
【００３０】
【表３】
2015000773.tif 000005
【００３１】
表２及び表３は、監視装置７がＳ１０１で取得した情報の一例を示す。表２は、高層の各階に登録された単位時間当たりのかご呼びの個数である。表３は、低層の各階とロビー階とに登録された単位時間当たりのかご呼びの個数である。
【００３２】
表２及び表３に示す例では、境界を２０階と２１階との間に設定すると、高層のかご呼びの総数と低層のかご呼びの総数とが共に５０になる。このため、監視装置７は、Ｓ１０３において、１５階と１６階との間に設定されていた境界を２０階と２１階との間に変更する（Ｓ１０３、Ｓ１０４）。
【００３３】
上記例では、Ｓ１０３において、高層の混雑度と低層の混雑度とが同じになる境界を選択した。しかし、エレベータの利用状況によっては、高層の混雑度と低層の混雑度とが完全に同じなる境界が存在しない場合がある。監視装置７は、Ｓ１０３において、高層の混雑度と低層の混雑度との差が最小になる境界を選択しても良い。また、監視装置７は、Ｓ１０３において、高層の混雑度と低層の混雑度との差がある基準値より小さくなる境界を選択しても良い。
【００３４】
監視装置７は、高層と低層との境界を変更すると、乗場に設けられた報知器３及び６から、境界に関する情報を報知させる。エレベータの利用者にかご２及びかご５の行先階が一部変更されたことを伝え、利用者が間違ったかごに乗ってしまうことを防止する。
【００３５】
例えば、Ｓ１０４において境界が変更される前まで、報知器３から「現在、このエレベータのサービス階は、１階と１６階から３０階の各階になります。低層階をご利用の方は、低層階専用のエレベータをご利用下さい。」といった内容が報知される。Ｓ１０４において境界が変更されると、報知器３から「エレベータのサービス階が変更されました。現在、このエレベータのサービス階は、１階と２１階から３０階の各階になります。低層階をご利用の方は、エレベータをお乗り換え下さい。」といった内容が報知される。
【００３６】
また、Ｓ１０４において境界が変更される前まで、報知器６から「現在、このエレベータのサービス階は、１階から１５階の各階になります。高層階をご利用の方は、高層階専用のエレベータをご利用下さい。」といった内容が報知される。Ｓ１０４において境界が変更されると、報知器６から「エレベータのサービス階が変更されました。現在、このエレベータのサービス階は、１階から２０階の各階になります。高層階をご利用の方は、エレベータをお乗り換え下さい。」といった内容が報知される。
【００３７】
このような報知は、Ｓ１０４において境界が変更された後、一定時間が経過するまで継続的或いは断続的に行われる。例えば、境界が変更されてから３０分が経過するまでは、報知器３及び６から上記案内が行われる。これにより、サービスが変更されたことを速やかに且つ確実に利用者に知らせることができる。
【００３８】
上記構成を有するエレベータシステムであれば、高層或いは低層の一方のみが混雑した場合であっても、高層と低層との境界を適切に設定し直すことができ、運行効率が低下することを防止できる。図２に示す動作を定期的に実施すれば、高層と低層との境界を適宜最適な位置に設定できる。例えば、図２に示す動作は、３時間おきに実施される。
【００３９】
本実施の形態では、各階に登録された単位時間当たりのかご呼びの個数に基づいて混雑条件が成立するか否かを判定し、境界を設定した。かかる構成であれば、混雑条件が成立するか否かの判定と境界の設定とを、その時のエレベータの利用状況に合わせて適切に行うことができる。なお、上記判定及び設定を、他のパラメータに基づいて実施しても構わない。
【００４０】
本実施の形態では、かご２がロビー階と高層にある階とに停止し、かご５がロビー階と低層にある階とに停止する場合について説明した。かご２及びかご５が共に停止する階は、ロビー階でなくても良い。また、本実施の形態では、かご２及びかご５がそれぞれ複数台存在する場合について説明した。かご２及びかご５は、それぞれ１台であっても良い。
【００４１】
本実施の形態では、ビルが高層と低層との２層に分けられた場合について説明した。ビルが３つ以上の層に分けられた場合、監視装置７は、各層の混雑度が均衡するように、各境界を再設定する。この時、複数ある境界の一部のみを変更しても良い。例えば、ビルが高層と中間層と低層との３層に分けられた場合、監視装置７は、混雑条件に基づいて一部の層のみが混雑している判定されると、各層の混雑度が均衡するように高層及び中間層の境界と中間層及び低層の境界とを設定する。この時、一方の境界のみを変更しても良い。
【００４２】
実施の形態２．
実施の形態１では、高層と低層との境界を変更してサービスを向上させる場合について説明した。本実施の形態では、システムの省エネを図るため、群管理装置１が管理するバンク又は群管理装置４が管理するバンクの一方を休止させる場合について説明する。
【００４３】
図３は、この発明の実施の形態２におけるエレベータシステムの動作を示すフローチャートである。エレベータシステムの構成は、図１に示すものと同じである。但し、本実施の形態における監視装置７は、高層の混雑度と低層の混雑度とに応じて、群管理装置１が管理するバンクの運行と群管理装置４が管理するバンクの運行とを適切に制御する。
【００４４】
群管理装置１が管理するバンクに、複数のかご２が備えられる。即ち、高層にある階は、複数のかご２によってサービスされる。また、群管理装置４が管理するバンクに、複数のかご５が備えられる。低層にある階は、複数のかご５によってサービスされる。
【００４５】
監視装置７は、群管理装置１及び４から情報を取得し、エレベータの利用状況を確認する（Ｓ２０１）。例えば、監視装置７は、Ｓ２０１において、ビルの各階に登録された単位時間当たりのかご呼びの数の情報を取得する。監視装置７は、群管理装置１及び４から取得した情報に基づいて、高層及び低層の双方が閑散としているか否かを判定する（Ｓ２０２）。高層及び低層の双方が閑散としているか否かを判定するための閑散条件は、予め定められている。例えば、監視装置７は、単位時間当たりのかご呼びの総数が３０以下の場合にその層の混雑度が低いと判定する。総数と比較する値は３０に限定されない。
【００４６】
例えば、表１に示すように総数Ａが１００、総数Ｂが１００である場合、高層の混雑度と低層の混雑度とは双方とも高い。かかる場合、高層と低層との双方が閑散としていないため閑散条件を満たさず（Ｓ２０２のＮｏ）、監視装置７は各バンクの運行を変更しない。
【００４７】
また、総数Ａが１００、総数Ｂが２０である場合、高層の混雑度は高く、低層の混雑度は低い。かかる場合、低層のみが閑散としているため閑散条件を満たさず（Ｓ２０２のＮｏ）、監視装置７は各バンクの運行を変更しない。総数Ａが２０、総数Ｂが１００である場合、高層の混雑度は低く、低層の混雑度は高い。かかる場合、高層のみが閑散としているため閑散条件を満たさず（Ｓ２０２のＮｏ）、監視装置７は各バンクの運行を変更しない。
【００４８】
総数Ａが２０、総数Ｂが２０である場合、高層の混雑度と低層の混雑度とは双方とも低い。かかる場合、高層と低層との双方が閑散としているため閑散条件を満たし（Ｓ２０２のＹｅｓ）、監視装置７は省エネを図るために各バンクの運行を変更する。
【００４９】
高層と低層との双方が閑散としている場合、監視装置７は、高層にある階へのかご２によるサービス又は低層にある階へのかご５によるサービスを停止させる（Ｓ２０３）。例えば、監視装置７は、群管理装置１が管理するバンクを休止させる。また、このままでは利用者が一方の層にある階に行くことができなくなるため、監視装置７は、Ｓ２０３でサービスを停止させなかったかごを、高層階にサービスするものと低層階にサービスするものとに振り分ける（Ｓ２０４）。
【００５０】
例えば、監視装置７がＳ２０３において高層階へのかご２によるサービスを停止させた場合を考える。監視装置７は、Ｓ２０４において、それまで低層階にサービスさせていたかご５のうち、一部を高層にある階にサービスさせる。残りのかご５については、そのまま低層にある階にサービスさせる。群管理装置４が管理する一方のバンクにより、高層にある階と低層にある階との双方をサービスさせる。
【００５１】
監視装置７は、各バンクのサービス階を変更すると、乗場に設けられた報知器３及び６から、変更したサービス内容に関する情報を報知させる。かご２によるサービスが停止され、かご５の行先階が一部変更されたことをエレベータの利用者に伝える。
【００５２】
例えば、Ｓ２０４においてサービスの内容が変更される前まで、報知器３から「現在、このエレベータのサービス階は、１階と１６階から３０階の各階になります。低層階をご利用の方は、低層階専用のエレベータをご利用下さい。」といった内容が報知される。Ｓ２０４においてサービス内容が変更されると、報知器３から「現在、このエレベータのサービスは停止しています。低層階用のエレベータにてサービスを提供しておりますので、そちらをご利用下さい。」といった内容が報知される。
【００５３】
また、Ｓ２０４においてサービスの内容が変更される前まで、報知器６から「現在、このエレベータのサービス階は、１階から１５階の各階になります。高層階をご利用の方は、高層階専用のエレベータをご利用下さい。」といった内容が報知される。Ｓ２０４においてサービス内容が変更されると、報知器６から「現在、このエレベータはサービス階を分けて運行しています。お乗り間違いがないようご注意下さい。」といった内容が報知される。
【００５４】
このような報知は、Ｓ２０４においてサービスの内容が変更された後、一定時間が経過するまで継続的或いは断続的に行われる。例えば、サービス内容が変更されてから３０分が経過するまでは、報知器３及び６から上記案内が行われる。これにより、サービスが変更されたことを速やかに且つ確実に利用者に知らせることができる。
【００５５】
上記構成を有するエレベータシステムであれば、高層及び低層の双方が閑散としている場合に一方のバンクのみによって各階へのサービスを行うことができ、省エネを図ることができる。図３に示す動作は、例えば、３時間おきに実施される。
【００５６】
本実施の形態では、各階に登録された単位時間当たりのかご呼びの個数に基づいて閑散条件が成立するか否かを判定した。かかる構成であれば、閑散条件が成立するか否かの判定を、その時のエレベータの利用状況に合わせて適切に行うことができる。なお、上記判定を、他のパラメータに基づいて実施しても構わない。
【００５７】
本実施の形態では、かご２がロビー階と高層にある階とに停止し、かご５がロビー階と低層にある階とに停止する場合について説明した。かご２及びかご５が共に停止する階は、ロビー階でなくても良い。本実施の形態では、ビルが高層と低層との２層に分けられた場合について説明した。ビルが３つ以上の層に分けられていても良い。
【符号の説明】
【００５８】
１  群管理装置、  ２  かご、  ３  報知器、  ４  群管理装置、  ５  かご、  ６  報知器、  ７  監視装置
【図１】
2015000773.tif 000006
【図２】
2015000773.tif 000007
【図３】
2015000773.tif 000008